(57)【要約】【課題】障害物に当たった時、自動でモーターを逆転させ、カーウインドウを自動的に下降させて挟まれるのを防止する電動カーウインドウ挟圧防止装置を提供する。      【解決手段】電動カーウインドウ挟圧防止装置は、車両のカードアに設置するカーウインドウ挟圧防止装置で、特にカーウインドウの底部適所に昇降センサー部品を設置し、カードアの適所に固定センサー部品を設置して中央処理装置、モーター、連動部品及び昇降スイッチと共に構成される。昇降スイッチを操作してカーウインドウを上昇させると、中央処理装置が昇降センサー部品と固定センサー部品の対応状態を検知し、同時にモーターの負荷電流を探測することにより、適時にモーターを作動させたり、逆転させたりして挟圧を防止して安全を確保する。【選択図】図１
0003135290.tif 000002
【実用新案登録請求の範囲】
【請求項１】
カードアとカーウインドウ間に設置する電動カーウインドウ挟圧防止装置において、
カーウインドウの底部に設置し、連動部品を通じてカーウインドウの昇降させるモーターと、
周辺信号を整合して適時制御を行う中央処理装置と、
対応する二つのセンサー部品ユニットで、そのうち固定センサー部品は中央処理装置と連結し、昇降センサー部品はカーウインドウの底部適所に設置し、固定センサー部品はカードアの適所設置する固定センサー部品と昇降センサー部品と、
中央処理装置で連結し、モーターで制御する昇降スイッチから構成されることを特徴とする電動カーウインドウ挟圧防止装置。
【請求項２】
前記固定センサー部品と昇降センサー部品は、磁気バネ式センサー構造で、固定センサー部品はカードアの位置に設置し、その高さはカーウインドウの最上端まで上昇し、固定センサー部品は昇降センサー部品と同じ高さが望ましいことを特徴とする請求項１記載の電動カーウインドウ挟圧防止装置。
【考案の詳細な説明】
【技術分野】
【０００１】
本考案は、電動カーウインドウ挟圧防止装置に関するもので、特にセンサー部品を使用してカーウインドウの上昇位置と状態を検知し、モーター負荷電流の探測技術と共にカーウインドウが上昇時に障害物に当たった時、自動でモーターを逆転させ、カーウインドウを自動的に下降させて挟まれるのを防止するものである。
【背景技術】
【０００２】
以前の車両のカーウインドウには、手回し柄が設置され、カーウインドウを昇降させたい時には柄を回して手動方式でカーウインドウ昇降させた。その後車両メーカーでは、カーウインドウ内にモーター、昇降スイッチ及び連動部品等を増設し、乗員が昇降スイッチを押すだけでカーウインドウが電動で上昇もしくは下降するようになった。現在、大多数の電動窓が昇降スイッチを押してカーウインドウを上昇させるが、もしもカーウインドウが障害物に当たった場合、例として乗員の頭や手を挟んだ時、モーターは作動し続けるので、挟んだ頭や手を傷つけ、場合によって命を失う危険もある。
【０００３】
現在、市場に於いて、一部の高級車には電動窓の挟圧防止の安全裝置が設置されているが、その公知結構の回路は複雜であるため、コストが高くつき、高級車にしか設置することができない。更に公知の結構には継電器が設置されており、それによって火花が発生しやすく、火災の危険がある。更に継電器が発する火花によって、接触不良を起こしやすく、故障率も高くなる。また、現在の電動窓の挟圧防止裝置は、車両のバッテリーを切るか、交換した後，再度その工程をやり直さなければならないので、非常に面倒である。
【考案の開示】
【考案が解決しようとする課題】
【０００４】
解決しようとする問題点は、カーウインドウに乗員の頭や手を挟んだ時、モーターは作動し続けるので、挟んだ頭や手を傷つけ、場合によって命を失う危険もある点であり、またこの挟圧防止装置を設置するには、車両のバッテリーを切るか、交換した後，再度その工程をやり直さなければならないので、非常に面倒な点である。
【課題を解決するための手段】
【０００５】
本考案は、車両のカードアに設置するカーウインドウ挟圧防止装置で、特にカーウインドウの底部適所に昇降センサー部品を設置し、カードアの適所に固定センサー部品を設置して中央処理装置、モーター、連動部品及び昇降スイッチと共に構成される。昇降スイッチを操作してカーウインドウを上昇させると、中央処理装置が昇降センサー部品と固定センサー部品の対応状態を検知し、同時にモーターの負荷電流を探測することにより、適時にモーターを作動させたり、逆転させたりして挟圧を防止して安全を確保することを最も主要な特徴とする。
【考案の効果】
【０００６】
本考案の電動カーウインドウ挟圧防止装置は、カーウインドウに頭や手等が挟まれるのを防止して、安全を確保し、また回路と結構設計を簡易にすることにより、コストを下げ、故障しにくいという利点がある。
【考案を実施するための最良の形態】
【０００７】
本考案の「電動カーウインドウ挟圧防止装置」は、カーウインドウ上昇時、頭や手等の障害物がある場合、挟圧防止装置がモーターを自動的に逆転させ、頭や手等が挟まれるのを防止して、安全を確保することを目的とする。
【０００８】
本考案の「電動カーウインドウ挟圧防止装置」は、回路と結構設計を簡易にし、コストを下げ、故障しにくく、且つ火花の発生を防止し、どの車両にもこの挟圧防止装置が普及し、カーウインドウの安全を確保することを別の目的とする。
【０００９】
上述の目的を達成するため、本考案は車両のカードアに設置するカーウインドウ挟圧防止装置で、特にカーウインドウの底部適所に昇降センサー部品を設置し、カードアの適所に固定センサー部品を設置し、中央処理装置、モーター、連動部品及び昇降スイッチ等と共に構成される。
【００１０】
本考案の特徴は、カーウインドウの底部適所に昇降センサー部品を設置し、カードアの適所には固定センサー部品を設置する。昇降スイッチを操作してカーウインドウを上昇させた時、昇降センサー部品が固定センサー部品に近づいてセンサー出来た時、それは動作が正常で危険がないということで、更にカーウインドウが最上端に達すると、中央処理装置がモーターを停止させる。反対に昇降スイッチを操作してカーウインドウを上昇させた時、昇降センサー部品が固定センサー部品に近づいた時にセンサーできず、且つ中央処理装置モーターの負荷電流が正常値を超えていると探測した場合、それはカーウインドウを上昇させて最上端に達することができず、頭や手等の障害物が挟まれているということで、その時、中央処理装置はすぐにモーターを逆転させてカーウインドウを下げ、頭や手等の障害物を離し、安全を確保する。
【実施例】
【００１１】
図１に示すとおり、「電動カーウインドウ挟圧防止装置」は下述を含む。
モーター１は、カーウインドウ７１を昇降させる。
中央処理装置３(CPU)は、周辺の信号を整合し、適時に制御を行う。
固定センサー部品４と昇降センサー部品５は、対応するセンサー部品ユニットであり、磁気バネ式センサー構造である。そのうちの固定センサー部品４は中央処理装置３と連結する。
昇降スイッチ６は、中央処理装置３で連結する。
【００１２】
図２に示すとおり、このカードア７にはカーウインドウ７１が設置される。そのカーウインドウ７１底部の適所には昇降センサー部品５が設置され、また固定センサー部品４はカードア７内の適所に固定される。その高さは、カーウインドウ７１が最上端へ上昇した時、固定センサー部品４と昇降センサー部品５が同じ高さになるのが望ましい。カーウインドウ7 1の底部には連動部品１１とモーター１を設置する。
【００１３】
正常時，図３に示すとおり、カーウインドウ７１底部適所には昇降センサー部品５が設置されており、またカードア７の適所には固定センサー部品４が設置されている。昇降スイッチ６を操作してカーウインドウ７１を上昇させた時、昇降センサー部品５は固定センサー部品４に近づき、センサーされると、それは危険のない正常ということで、カーウインドウ７１が最上端に達すると、中央処理装置３がモーター１の作動を停止させる。
【００１４】
反対に昇降スイッチ５を操作してカーウインドウ７１を上昇させた時、昇降センサー部品５が固定センサー部品４に近づいてもセンサーできない場合(図４参照)、且つ中央処理装置３がモーター１の負荷電流が正常値を超えていると判断した時，それはカーウインドウ７１が最上端に上がれず、且つ頭や手等の障害物９が挟まれているということで、その場合、中央処理装置３が即座にモーター１を逆転させ、カーウインドウ７１を下げ、頭や手等の障害物９を離し、挟圧を防止して安全を確保する。
【００１５】
本考案の挟圧防止装置は主に二つのセンサー部品４、５のセンサーに基づき、モーター１の負荷電流を探測することにより、動作が確実となり、電気を切ったり、バッテリーを交換したりした後に再度設定しなおす必要がない。
【図面の簡単な説明】
【００１６】
【図１】本考案の回路ブロックダイアグラムである。
【図２】本考案の実施時の断面構造図である。
【図３】本考案のカーウインドウ正常昇降時の断面動作状態図である。
【図４】本考案のカーウインドウ障害物挟圧時の断面動作状態図である。
【符号の説明】
【００１７】
１          モーター
１１        連動部品
３          中央処理装置
４          固定センサー部品
５          昇降センサー部品
６          昇降スイッチ
７          カードア
７１        カーウインドウ
９          障害物
【図１】
0003135290.tif 000003
【図２】
0003135290.tif 000004
【図３】
0003135290.tif 000005
【図４】
0003135290.tif 000006
【手続補正書】
【提出日】平成19年5月25日(2007.5.25)
【手続補正１】
【補正対象書類名】実用新案登録請求の範囲
【補正対象項目名】請求項１
【補正方法】変更
【補正の内容】
【請求項１】
カードアとカーウインドウ間に設置する電動カーウインドウ挟圧防止装置において、
上記カーウインドウの底部に設置し、連動部品を通じてカーウインドウを昇降させるモーターと、
周辺信号を整合して適時に上記モーターの制御を行う中央処理装置と、
該中央処理装置と連結し、上記カードアの適所に設置する固定センサー部品と、上記カーウインドウの底部の適所に設置する昇降センサー部品と、からなる対応する二つのセンサー部品ユニットと、
上記中央処理装置と連結し、上記モーターを制御する昇降スイッチから構成されることを特徴とする電動カーウインドウ挟圧防止装置。
【手続補正２】
【補正対象書類名】実用新案登録請求の範囲
【補正対象項目名】請求項２
【補正方法】変更
【補正の内容】
【請求項２】
対応する二つの前記センサー部品ユニットである前記固定センサー部品と前記昇降センサー部品は、磁気バネ式センサー構造であって、上記固定センサー部品はカードアの位置に設置され、当該位置の高さは上記カーウインドウが最上端までに上昇したときに、上記固定センサー部品は昇降センサー部品と同じ高さに位置することを特徴とする請求項１記載の電動カーウインドウ挟圧防止装置。